(57)【要約】【課題】小型で取り扱う薬剤を処方箋に応じて合理的な条件で短時間に分包することのできる散剤の分配制御方法を提供する。【解決手段】１種類または２種類の散剤を分包する際には、第１フィーダ４ａおよび第２フィーダ４ｂに同種または異種の散剤をそれぞれ準備しておき、第１フィーダ４ａから散剤分割用回転テーブル２上に散剤を供給して分包動作を行った後、第２フィーダ４ｂから散剤分割用回転テーブル２上に散剤を供給して分包動作を行うようにし、２種類の散剤を混合薬として分包する際には、第１フィーダ４ａおよび第２フィーダ４ｂに異種の散剤をそれぞれ準備しておき、第１フィーダ４ａおよび第２フィーダ４ｂから同時に散剤分割用回転テーブル２上に散剤を供給して分包動作を行うようにする。【選択図】図１
2005067739.tif 000002
【特許請求の範囲】
【請求項１】
単一の散剤分割用回転テーブルと、この散剤分割用回転テーブルに散剤を供給する第１フィーダおよび第２フィーダとを備える薬剤分包装置における散剤の分配制御方法であって、
１種類または２種類の散剤を分包する際には、前記第１フィーダおよび前記第２フィーダに同種または異種の散剤をそれぞれ準備しておき、前記第１フィーダから前記散剤分割用回転テーブル上に散剤を供給して分包動作を行った後、前記第２フィーダから前記散剤分割用回転テーブル上に散剤を供給して分包動作を行うようにし、
２種類の散剤を混合薬として分包する際には、前記第１フィーダおよび前記第２フィーダに異種の散剤をそれぞれ準備しておき、前記第１フィーダおよび前記第２フィーダから同時に前記散剤分割用回転テーブル上に散剤を供給して分包動作を行うようにする
ことを特徴とする散剤の分配制御方法。
【請求項２】
３種類以上の散剤を分包する際には、前記２種類の散剤の分包動作を行った後に、同様の動作を繰り返し行う請求項１に記載の散剤の分配制御方法。
【請求項３】
３種類以上の散剤を混合薬として分包する際には、前記２種類の散剤を前記散剤分割用回転テーブル上に供給した後、再び異種の散剤を前記散剤分割用回転テーブル上に供給する動作を繰り返し行う請求項１に記載の散剤の分配制御方法。
【発明の詳細な説明】
【技術分野】
【０００１】
本発明は、病院等における調剤に際して、散剤の分包操作を任意に組み合わせて分包する散剤の分配制御方法に関するものである。
【背景技術】
【０００２】
従来、病院もしくは診療所等の薬局においては、多量の調剤を行うために散剤および錠剤・カプセル等の固形剤を処方箋に基づいて分包機で分割包装（以下、「分包」という。）している。
【０００３】
この分包に際して、散剤および固形剤はいずれも調剤によって多くの組み合わせがあり、また服用する回数もその組み合わせに加えられることから、従来は一回の服用分として散剤と錠剤・カプセルとを同時分包するか、あるいは一回の服用分として散剤と錠剤・カプセルとを別個に分包している。この場合、散剤も複数になるとそれぞれ別個に分包している。
【０００４】
しかしながら、このような分包方法によると１包に散剤や錠剤・カプセル等の固形剤（以下、「錠剤」という。）を同時包装すると、分包量が多い場合に嵩張って以後の取扱に不便であるという問題点がある。また、散剤と錠剤とをそれぞれ１種類ずつ分包する方法によると分包数が過剰になるため、患者が服用時に１回の服用量を誤る恐れがあるという問題点がある。
【０００５】
このような問題点を解消するために、特許文献１に散剤と錠剤との分包の組合せを自在に選択でき、１服用単位で合理的な薬剤の分包を行うことができる薬剤分包装置が提案されている。
【０００６】
前記特許文献１に記載の薬剤分包装置１０１においては、図４に示されるように同一水平面に並設されて一定速度で回転されている２つの回転テーブル１０２に、それぞれ１つずつ設けられている振動フィーダ１０３によって、所要量の薬剤が一定の搬送速度で供給されている。この薬剤は、回転テーブル１０２の環状凹溝１０４に盛り上げられた後回転掻き落とし羽根１０５を環状凹溝１０４に降ろして、この回転掻き落とし羽根１０５で環状凹溝１０４内の薬剤を所要分割数に応じ、等分して切り出され、その切り出された分量の薬剤が順次分包される。
【０００７】
【特許文献１】特開平５−３１０２０２号公報
【発明の開示】
【発明が解決しようとする課題】
【０００８】
しかしながら、この図４に示される分包装置では、予め作られている２種類以上の混合薬を１つの振動フィーダで供給する場合に、比重の違いにより混合薬が分離してしまう恐れがあるという問題点がある。また、このような混合薬の分離を避けるために２種類以上の薬剤を１種類ずつ振動フィーダで回転テーブルに供給するのでは、非常に時間がかかるという問題点がある。さらに、同一水平面に２つの回転テーブルが並設されるので、分包装置が大型化してしまうという問題点もある。
【０００９】
本発明は、このような問題点を解消するためになされたものであり、小型で取り扱う薬剤を処方箋に応じて合理的な条件で短時間に分包することのできる散剤の分配制御方法を提供することを目的とするものである。
【課題を解決するための手段】
【００１０】
本発明による散剤の分配制御方法は、前記目的を達成するために、
単一の散剤分割用回転テーブルと、この散剤分割用回転テーブルに散剤を供給する第１フィーダおよび第２フィーダとを備える薬剤分包装置における散剤の分配制御方法であって、
１種類または２種類の散剤を分包する際には、前記第１フィーダおよび前記第２フィーダに同種または異種の散剤をそれぞれ準備しておき、前記第１フィーダから前記散剤分割用回転テーブル上に散剤を供給して分包動作を行った後、前記第２フィーダから前記散剤分割用回転テーブル上に散剤を供給して分包動作を行うようにし、
２種類の散剤を混合薬として分包する際には、前記第１フィーダおよび前記第２フィーダに異種の散剤をそれぞれ準備しておき、前記第１フィーダおよび前記第２フィーダから同時に前記散剤分割用回転テーブル上に散剤を供給して分包動作を行うようにする
ことを特徴とするものである（第１発明）。
【００１１】
本発明において、３種類以上の散剤を分包する際には、前記２種類の散剤の分包動作を行った後に、同様の動作を繰り返し行うのが好ましい（第２発明）。
【００１２】
また、３種類以上の散剤を混合薬として分包する際には、前記２種類の散剤を前記散剤分割用回転テーブル上に供給した後、再び異種の散剤を前記散剤分割用回転テーブル上に供給する動作を繰り返し行うのが好ましい（第３発明）。
【発明の効果】
【００１３】
本発明においては、散剤は少なくとも１つのフィーダから散剤分割用回転テーブルに供給された後、この散剤分割用回転テーブル上で分割されて１分包量ずつ分包される。ここで、１種類の散剤が分包される場合は散剤が１つのフィーダから散剤分割用回転テーブル上に供給され、その間他方のフィーダに同種の散剤が準備され、先の散剤の分包動作が行われた後、他方のフィーダに準備されていた同種の散剤が散剤分割用回転テーブル上に供給され、同様に分包動作が行われる。また、２種類以上の散剤を分包する場合は前記と同様に１つのフィーダから散剤が散剤分割用回転テーブル上に供給され、その間に他方のフィーダに異種の散剤が準備され、先の散剤の分包動作が行われた後、他方のフィーダに準備されていた散剤が散剤分割用回転テーブルに供給され、同様に分包動作が行われる。これを繰り返し行えば２種類以上の散剤の分包を短時間で行うことができる。一方、２種類の散剤を混合薬として分包する場合は２つのフィーダから同時にそれぞれ１種類ずつの散剤が散剤分割用回転テーブルに供給されて散剤分割用回転テーブル上で散剤が混合されて混合薬の分包が行われる。
【００１４】
このように、１つの散剤分割用回転テーブルで複数の散剤の分包が可能となり、装置構成を極めてコンパクトにすることができる。また、混合薬を分包する際に予め混合薬を作る必要がなくなるので、予め作られた混合薬を散剤分割用回転テーブルに供給する際に生じる混合薬の比重の違いによる分離を恐れる必要がなくなる。さらに、従来１つのフィーダから１種類ずつの散剤の供給が行われていたのに対し、２種類の散剤を同時に供給することができるため、時間短縮を図ることができる。
【発明を実施するための最良の形態】
【００１５】
次に、本発明による散剤の分配制御方法の具体的な実施の形態について、図面を参照しつつ説明する。
【００１６】
図１には、本発明の一実施形態に係る薬剤分包装置の機体上部カバーを取り除いて表す平面図が示されており、図２には、本実施形態の薬剤分包装置の内部正面図が示されている。
【００１７】
本実施形態の薬剤分包装置１においては、単一の散剤分割用回転テーブル２が設けられ、この回転テーブル２は水平に保たれ環状の凹曲面を有する散剤受け溝３を具え、図示されないモータにより回転するように配設されている。この回転テーブル２の前部上方には、その回転テーブル２上の散剤受け溝３に散剤を供給できるように、２つのフィーダ４（第１フィーダ４ａおよび第２フィーダ４ｂ）がそれぞれの振りまき口５（５ａ，５ｂ）を向かい合わせにして配置されている。このフィーダ４（４ａ，４ｂ）には、散剤を堰き止めするためのストッパ６（６ａ，６ｂ）がそれぞれ備えられている。
【００１８】
前記回転テーブル２の上方にはその回転テーブル２を跨ぐように支持アーム７が配され、この支持アーム７の先端に、同一軸心で支持される回転軸８に取りつく掻き落とし羽根９と、その回転軸８に軸受けを介して被嵌するボスに取りつく円形の仕切り板１０とが備えられ、この支持アーム７の先端と反対方向には、散剤受け溝３を清掃するための清掃ヘッド１１が備えられている。この回転テーブル２の上側を横断するように４８個の分割マス１３から構成される固形剤分割供給部１２が設けられている。この分割マス１３の底板１４は固形剤分割供給部１２の下側に設けられているシュート１５の上で順次間欠的に開かれ、分割マス内の固形剤がシュート１５を通じて分包されるようになっている。
【００１９】
前記掻き落とし羽根９の下側にはホッパ１６が設けられ、散剤受け溝３上の散剤またはシュート１５に落とされた固形剤はともにホッパ１６を通じて、ホッパ１６の下方に配置される包装部１７で、１包ずつ分包されるように構成されている。
【００２０】
前記フィーダ４の正面図および側面図が図３（ａ）および図３（ｂ）にそれぞれ示されている。このフィーダ４の側面には、フィーダ４に備えられているストッパ６を上下方向に作動させるための円形状のカム１８が設けられ、このカム１８はカム回転軸１９を介してモータ２０に接続されている。前記カム回転軸１９は、カム１８の偏心位置に接続されているため、カム１８がカム回転軸１９を中心として回転することによりストッパ６を上下方向に作動させることができる。
【００２１】
本実施形態において、例えば２種類の散剤を混合薬として分包する場合は、１種類ずつ２つのフィーダ４ａ，４ｂに供給し、回転テーブル２を回転させながらフィーダ４ａ，４ｂの散剤を同時に散剤受け溝３に供給する。次いで、前記円形仕切り板１０により１包量ずつ散剤受け溝３上で混合されている散剤を仕切り、この１包量の混合薬は掻き落とし羽根９を回転軸８を中心として回転させてホッパ１６に供給される。この１包量の混合薬は、ホッパ１６を通じて包装される。
【００２２】
したがって、混合薬を分包する際に予め混合薬を作る必要がなくなるとともに、予め作られた混合薬を散剤受け溝３に供給する際に生じる混合薬の比重の違いによる分離を恐れる必要がなくなる。また、２種類の散剤を同時に散剤受け溝３に供給することができるため、散剤の供給時間を短縮することができる。
【００２３】
本実施形態において、例えば２種類の散剤を１包ずつ分包する場合は先に分包する散剤を第１フィーダ４ａ（第２フィーダ４ｂでもよい）に供給し、回転テーブル２を回転させながら第１フィーダ４ａの散剤を散剤受け溝３に均一に供給する。先に分包される散剤を散剤受け溝３に供給している間に、残りの第２フィーダ４ｂに後に分包される散剤を供給し、ストッパ６ｂで散剤を堰き止めて回転テーブル２上に第２フィーダ４ｂの散剤がこぼれ落ちないようにする。先に分包される散剤が散剤受け溝３上に供給された後、この散剤受け溝３上の散剤は円形仕切り板１０で仕切られ、掻き落とし羽根９が回転軸８を中心として回転することによりホッパ１６に供給される。この散剤は、ホッパ１６を通じて包装される。先の散剤がすべてホッパ１６に供給された後、散剤受け溝３に掻き残されている散剤は回転テーブル２が回転しつつ清掃ヘッド１１により吸引される。その後、前記カム１８によりストッパ６が上方向に移動され、後に分包される散剤が第２フィーダ４ｂから散剤受け溝３に供給されて、先に分包された散剤と同様の方法で包装される。
【００２４】
このように、２種類以上の散剤を分包する場合であっても１つの回転テーブル２に対して２つのフィーダ４ａ，４ｂが設けられていることにより、１つの散剤を供給している間に次に供給される散剤を準備しておくことができるため分包時間をかなり短縮することができる。また、各フィーダ４ａ，４ｂにストッパ６ａ，６ｂを設けることにより、準備された散剤が回転テーブル２に不用意にこぼれ落ちることがなくなる。
【００２５】
また、前記固形剤分割供給部１２は本実施形態における薬剤分包装置１の左右方向長さの１／２以下であり、分割マス１３の深さは分割マス１３の幅および奥行きの寸法より深いものである。したがって、分割マスの個数および分割マスに収納可能な固形剤の数を減らすことなく固形剤の分割供給部の左右方向長さを狭くすることができるとともに、回転テーブル２が１つであるため装置全体をかなり小型化することができる。
【００２６】
本実施形態においては、散剤と固形剤との組合せを任意に設定することができる。例えば、散剤と固形剤とを１包ずつ交互に分包する場合は、散剤受け溝３に散剤を供給し、分割マス１３に１包量の固形剤を供給する。この後、散剤受け溝３の散剤は掻き落とし羽根９を回転軸８を中心として回転することにより、１分包量の散剤がホッパ１６に供給されて分包され、次いで分割マス１３の底板１４が開放され１分包量の固形剤がシュート１５を通じてホッパ１６に供給されて分包される。このように、散剤の供給と固形剤の供給との分包順を変更することにより、１回の服用に応じて散剤と固形剤との組み合せを変化させることができる。また、散剤と固形剤とを１包にすることも可能である。
【００２７】
本実施形態においては、分割マス１３が４８個とされているが４８個に限られず多くても少なくてもよいが、実用的には４８個程度が適している。
【００２８】
本実施形態においては、散剤分割供給部および固形剤分割供給部を備えているが１つの回転テーブル２とこの回転テーブル２に散剤を供給する２つのフィーダとを有する散剤分割供給部のみを備えていてもよい。
【図面の簡単な説明】
【００２９】
【図１】本発明の一実施形態に係る薬剤分包装置の機体の上部カバーを取り除いて表す平面図
【図２】本実施形態の薬剤分包装置の内部正面図
【図３】本実施形態の薬剤分包装置のフィーダのみの拡大図であって、フィーダの正面図（ａ）およびフィーダの側面図（ｂ）
【図４】従来の薬剤分包装置の機体の上部カバーを取り除いて表す平面図
【符号の説明】
【００３０】
１  薬剤分包装置
２  散剤分割用回転テーブル
４  フィーダ
６  ストッパ（堰き止め手段）
９  掻き落とし羽根
１２  固形剤分割供給部
１３  分割マス
【図１】
2005067739.tif 000003
【図２】
2005067739.tif 000004
【図３】
2005067739.tif 000005
【図４】
2005067739.tif 000006